(57)【要約】【課題】適切な基準画像を使用して検査でき、ヤレ紙の検出精度を向上できる検査装置を提供する。【解決手段】検査対象の印刷ジョブにおける一の画像がそれぞれ形成された複数の第１の記録媒体をそれぞれ読み取って生成された複数の第１の読取画像を取得し、取得した複数の第１の読取画像の中から選択された読取画像に基づいて、一の画像が形成された第２の記録媒体を読み取って生成された第２の読取画像に対する検査を実行するハードウェアプロセッサーを備える、検査装置。【選択図】図１
2022001442.tif 000002
【特許請求の範囲】
【請求項１】
検査対象の印刷ジョブにおける一の画像がそれぞれ形成された複数の第１の記録媒体をそれぞれ読み取って生成された複数の第１の読取画像を取得し、
取得した複数の第１の読取画像の中から選択された読取画像に基づいて、前記一の画像が形成された第２の記録媒体を読み取って生成された第２の読取画像に対する検査を実行するハードウェアプロセッサーを備える、検査装置。
【請求項２】
前記ハードウェアプロセッサーは、記憶部に記憶された前記複数の第１の読取画像の中からユーザーにより選択された読取画像に基づいて前記第２の読取画像に対する検査を実行する、請求項１に記載の検査装置。
【請求項３】
前記ハードウェアプロセッサーは、さらに、前記第２の読取画像の検査における検査レベルを設定する、請求項１または２に記載の検査装置。
【請求項４】
検査対象の印刷ジョブにおける一の画像がそれぞれ形成された複数の第１の記録媒体をそれぞれ読み取って生成された複数の第１の読取画像を取得するステップと、
取得した複数の第１の読取画像の中から選択された読取画像に基づいて、前記一の画像が形成された第２の記録媒体を読み取って生成された第２の読取画像に対する検査を実行するステップと、
を有する検査方法。
【請求項５】
前記実行するステップは、記憶部に記憶された前記複数の第１の読取画像の中からユーザーにより選択された読取画像に基づいて前記第２の読取画像に対する検査を実行する、請求項４に記載の検査方法。
【請求項６】
前記第２の読取画像の検査における検査レベルを設定するステップをさらに有する、請求項４または５に記載の検査方法。
【請求項７】
検査対象の印刷ジョブにおける一の画像がそれぞれ形成された複数の第１の記録媒体をそれぞれ読み取って生成された複数の第１の読取画像を取得するステップと、
取得した複数の第１の読取画像の中から選択された読取画像に基づいて、前記一の画像が形成された第２の記録媒体を読み取って生成された第２の読取画像に対する検査を実行するステップと、
を検査装置のコンピューターに実行させるためのプログラム。
【請求項８】
前記実行するステップは、記憶部に記憶された前記複数の第１の読取画像の中からユーザーにより選択された読取画像に基づいて前記第２の読取画像に対する検査を実行する、請求項７に記載のプログラム。
【請求項９】
前記コンピューターに、
前記第２の読取画像の検査における検査レベルを設定するステップをさらに実行させる、請求項７または８に記載のプログラム。
【請求項１０】
記録媒体上に画像を形成する画像形成部と、
前記画像形成部により検査対象の印刷ジョブにおける一の画像が形成された記録媒体を読み取って読取画像を生成する画像読取部と、
前記一の画像がそれぞれ形成された複数の第１の記録媒体を前記画像読取部によりそれぞれ読み取って生成された複数の第１の読取画像を取得し、取得した複数の第１の読取画像の中から選択された読取画像に基づいて、前記一の画像が形成された第２の記録媒体を前記画像読取部により読み取って生成された第２の読取画像に対する検査を実行するハードウェアプロセッサーと、
を備える、検査システム。
【請求項１１】
前記複数の第１の読取画像は、前記画像形成部による前記複数の第１の記録媒体それぞれに対する前記一の画像の形成および当該一の画像が形成された複数の第１の記録媒体それぞれの前記画像読取部による読み取りが行われることにより生成される、請求項１０に記載の検査システム。
【請求項１２】
前記ハードウェアプロセッサーは、記憶部に記憶された前記複数の第１の読取画像の中からユーザーにより選択された読取画像に基づいて前記第２の読取画像に対する検査を実行する、請求項１０または１１に記載の検査システム。
【請求項１３】
前記ハードウェアプロセッサーは、さらに、前記第２の読取画像の検査における検査レベルを設定する、請求項１０〜１２のいずれかに記載の検査システム。
【請求項１４】
記録媒体上に画像を形成するステップと、
前記画像を形成するステップにおいて検査対象の印刷ジョブにおける一の画像が形成された記録媒体を読み取って読取画像を生成するステップと、
前記一の画像がそれぞれ形成された複数の第１の記録媒体をそれぞれ読み取って生成された複数の第１の読取画像を取得し、取得した複数の第１の読取画像の中から選択された読取画像に基づいて、前記一の画像が形成された第２の記録媒体を読み取って生成された第２の読取画像に対する検査を実行するステップと、
を有する検査方法。
【請求項１５】
前記複数の第１の読取画像は、前記複数の第１の記録媒体それぞれに対する前記一の画像の形成および当該一の画像が形成された複数の第１の記録媒体それぞれの読み取りが行われることにより生成される、請求項１４に記載の検査方法。
【請求項１６】
前記実行するステップは、記憶部に記憶された前記複数の第１の読取画像の中からユーザーにより選択された読取画像に基づいて前記第２の読取画像に対する検査を実行する、請求項１４または１５に記載の検査方法。
【請求項１７】
前記第２の読取画像の検査における検査レベルを設定するステップをさらに有する、請求項１４〜１６のいずれかに記載の検査方法。
【発明の詳細な説明】
【技術分野】
【０００１】
本発明は、検査装置、検査方法、プログラム、および検査システムに関する。
【背景技術】
【０００２】
従来、画像形成装置により用紙に画像を形成した後、形成された画像を読み取ることで生成されたスキャン画像を、正常な画像として検査の基準となる基準画像と比較することで、汚れ、角折れ、しわ、傾き等の異常を生じた印刷物をヤレ紙として検出している。
【０００３】
このような技術に関連し、下記特許文献１には、次の技術が開示されている。同一絵柄が繰り返し印刷されている印刷物の所定箇所を撮像することで得られた検査画像と、予め記憶されている基準画像とを比較して良否判定し、不良と判断された場合は検査画像および比較に用いられた基準画像を関連付けて記録するとともに表示する。そして、表示された検査画像および基準画像を確認したユーザーにより、不良と判断された箇所が真の欠陥ではないとの判断を受け付けた場合は、記憶された検査画像および基準画像を削除する。
【先行技術文献】
【特許文献】
【０００４】
【特許文献１】特開２０１１−１１２４３０号公報
【発明の概要】
【発明が解決しようとする課題】
【０００５】
しかし、上記先行技術は、適切な基準画像を使用して検査することで、ヤレ紙の検出精度を向上するということに対応できないという問題がある。
【０００６】
本発明は、このような問題を解決するためになされたものである。すなわち、適切な基準画像を使用して検査でき、ヤレ紙の検出精度を向上できる検査装置、検査方法、プログラム、および検査システムを提供することを目的とする。
【課題を解決するための手段】
【０００７】
本発明の上記課題は、以下の手段によって解決される。
（１）検査対象の印刷ジョブにおける一の画像がそれぞれ形成された複数の第１の記録媒体をそれぞれ読み取って生成された複数の第１の読取画像を取得し、取得した複数の第１の読取画像の中から選択された読取画像に基づいて、前記一の画像が形成された第２の記録媒体を読み取って生成された第２の読取画像に対する検査を実行するハードウェアプロセッサーを備える、検査装置。
【０００８】
（２）前記ハードウェアプロセッサーは、記憶部に記憶された前記複数の第１の読取画像の中からユーザーにより選択された読取画像に基づいて前記第２の読取画像に対する検査を実行する、上記（１）に記載の検査装置。
【０００９】
（３）前記ハードウェアプロセッサーは、さらに、前記第２の読取画像の検査における検査レベルを設定する、上記（１）または（２）に記載の検査装置。
【００１０】
（４）検査対象の印刷ジョブにおける一の画像がそれぞれ形成された複数の第１の記録媒体をそれぞれ読み取って生成された複数の第１の読取画像を取得するステップと、取得した複数の第１の読取画像の中から選択された読取画像に基づいて、前記一の画像が形成された第２の記録媒体を読み取って生成された第２の読取画像に対する検査を実行するステップと、を有する検査方法。
【００１１】
（５）前記実行するステップは、記憶部に記憶された前記複数の第１の読取画像の中からユーザーにより選択された読取画像に基づいて前記第２の読取画像に対する検査を実行する、上記（４）に記載の検査方法。
【００１２】
（６）前記第２の読取画像の検査における検査レベルを設定するステップをさらに有する、上記（４）または（５）に記載の検査方法。
【００１３】
（７）検査対象の印刷ジョブにおける一の画像がそれぞれ形成された複数の第１の記録媒体をそれぞれ読み取って生成された複数の第１の読取画像を取得するステップと、取得した複数の第１の読取画像の中から選択された読取画像に基づいて、前記一の画像が形成された第２の記録媒体を読み取って生成された第２の読取画像に対する検査を実行するステップと、を検査装置のコンピューターに実行させるためのプログラム。
【００１４】
（８）前記実行するステップは、記憶部に記憶された前記複数の第１の読取画像の中からユーザーにより選択された読取画像に基づいて前記第２の読取画像に対する検査を実行する、上記（７）に記載のプログラム。
【００１５】
（９）前記コンピューターに、前記第２の読取画像の検査における検査レベルを設定するステップをさらに実行させる、上記（７）または（８）に記載のプログラム。
【００１６】
（１０）記録媒体上に画像を形成する画像形成部と、前記画像形成部により検査対象の印刷ジョブにおける一の画像が形成された記録媒体を読み取って読取画像を生成する画像読取部と、前記一の画像がそれぞれ形成された複数の第１の記録媒体を前記画像読取部によりそれぞれ読み取って生成された複数の第１の読取画像を取得し、取得した複数の第１の読取画像の中から選択された読取画像に基づいて、前記一の画像が形成された第２の記録媒体を前記画像読取部により読み取って生成された第２の読取画像に対する検査を実行するハードウェアプロセッサーと、を備える、検査システム。
【００１７】
（１１）前記複数の第１の読取画像は、前記画像形成部による前記複数の第１の記録媒体それぞれに対する前記一の画像の形成および当該一の画像が形成された複数の第１の記録媒体それぞれの前記画像読取部による読み取りが行われることにより生成される、上記（１０）に記載の検査システム。
【００１８】
（１２）前記ハードウェアプロセッサーは、記憶部に記憶された前記複数の第１の読取画像の中からユーザーにより選択された読取画像に基づいて前記第２の読取画像に対する検査を実行する、上記（１０）または（１１）に記載の検査システム。
【００１９】
（１３）前記ハードウェアプロセッサーは、さらに、前記第２の読取画像の検査における検査レベルを設定する、上記（１０）〜（１２）のいずれかに記載の検査システム。
【００２０】
（１４）記録媒体上に画像を形成するステップと、前記画像を形成するステップにおいて検査対象の印刷ジョブにおける一の画像が形成された記録媒体を読み取って読取画像を生成するステップと、前記一の画像がそれぞれ形成された複数の第１の記録媒体をそれぞれ読み取って生成された複数の第１の読取画像を取得し、取得した複数の第１の読取画像の中から選択された読取画像に基づいて、前記一の画像が形成された第２の記録媒体を読み取って生成された第２の読取画像に対する検査を実行するステップと、を有する検査方法。
【００２１】
（１５）前記複数の第１の読取画像は、前記複数の第１の記録媒体それぞれに対する前記一の画像の形成および当該一の画像が形成された複数の第１の記録媒体それぞれの読み取りが行われることにより生成される、上記（１４）に記載の検査方法。
【００２２】
（１６）前記実行するステップは、記憶部に記憶された前記複数の第１の読取画像の中からユーザーにより選択された読取画像に基づいて前記第２の読取画像に対する検査を実行する、上記（１４）または（１５）に記載の検査方法。
【００２３】
（１７）前記第２の読取画像の検査における検査レベルを設定するステップをさらに有する、上記（１４）〜（１６）のいずれかに記載の検査方法。
【発明の効果】
【００２４】
検査対象の印刷ジョブにおける一の画像がそれぞれ形成された複数の第１の記録媒体をそれぞれ読み取って生成された複数の第１の読取画像を取得し、取得した複数の第１の読取画像の中から選択された読取画像に基づいて、一の画像が形成された第２の記録媒体を読み取って生成された第２の読取画像に対する検査を実行する。これにより、適切な基準画像を使用して検査でき、ヤレ紙の検出精度を向上できる。
【図面の簡単な説明】
【００２５】
【図１】画像形成システムの構成を示す概略図である。
【図２】画像形成システムの構成を示すブロック図である。
【図３】検査ジョブ実行後に基準画像を保存するかどうかを設定するための自動検品設定画面を示す模式図である。
【図４】画像形成システムの動作を示すフローチャートである。
【図５】画像形成システムの動作を示すフローチャートである。
【図６】画像形成システムの動作を示すフローチャートである。
【図７】画像形成システムの動作を示すフローチャートである。
【発明を実施するための形態】
【００２６】
以下、添付した図面を参照して、本発明の実施形態を説明する。なお、図面の説明において同一の要素には同一の符号を付し、重複する説明を省略する。また、図面の寸法比率は、説明の都合上誇張されており、実際の比率とは異なる場合がある。
【００２７】
（画像形成システム）
図１は、本発明の実施形態に係る画像形成システムの構成を示す概略図である。図２は、画像形成システムの構成を示すブロック図である。
【００２８】
画像形成システム１００は、画像形成装置１０１、読取装置１０２、後処理装置１０３、給紙装置１０４を有する。画像形成装置１０１は記録媒体（たとえば用紙）に画像形成（印刷）を行う。以下、記録媒体として用紙Ｓを例示して説明する。読取装置１０２は、用紙Ｓに形成された画像を読み取る。後処理装置１０３は画像形成された用紙を後処理する。給紙装置１０４は給紙トレイ４１と共に、収納している用紙Ｓを画像形成部３０へ供給する。なお、これらの装置は、それぞれ他の装置を含んで構成されてもよい。従って、例えば、画像形成装置１０１は、読取装置１０２を含んで構成され得る。画像形成システム１００は、プロダクションプリント機であり得る。
【００２９】
図２に示すように、画像形成システム１００は、制御部１０、記憶部２０、画像形成部３０、給紙搬送部４０、操作表示部５０、読取部６０、後処理部７０、および通信部８０を有する。これらは、各部の間で信号をやり取りするためのバスを介して相互に接続されている。読取部６０は画像読取部を構成する。
【００３０】
制御部１０は、ＣＰＵであり、プログラムに従って各部の制御や各種の演算処理を行う。制御部１０は、画像形成装置１０１が備える制御部１２と、読取装置１０２が備える制御部１１とを含み、これらが協働して画像形成システム１００全体を制御する。制御部１０は、読取部６０と共に検査部を構成する。制御部１０の具体的な制御については後述する。
【００３１】
記憶部２０は、画像形成装置１０１が備える記憶部２２と、読取装置１０２が備える記憶部２１とを含む。記憶部２０は、各種プログラムや各種データを格納しておくＲＯＭ、作業領域として一時的にプログラムやデータを記憶するＲＡＭ、および各種プログラムや各種データを格納するハードディスク等から構成される。
【００３２】
画像形成部３０は、中間転写ベルト３１、感光体ドラム３２、現像部３３、書込部３４、および２次転写部３５を備える。
【００３３】
感光体ドラム３２、現像部３３、および書込部３４は、イエロー（Ｙ）、マゼンタ（Ｍ）、シアン（Ｃ）、ブラック（Ｋ）の各基本色に対応した構成をそれぞれ備える。図１では、感光体ドラム３２、現像部３３については、符号３２（Ｙ）、３３（Ｙ）以外の符号の表記を省略している。
【００３４】
画像形成部３０の書込部３４は、画像データに基づいて、帯電された感光体ドラム３２の表面を露光し、静電潜像を形成する。現像部３３では、形成された静電潜像を現像部３３のトナーにより現像して、各感光体ドラム３２の表面に各色のトナー画像を形成する。これを各色の１次転写部（図示せず）で中間転写ベルト３１上に順次重ねてゆき、フルカラーのトナー画像を形成する。このトナー画像は、２次転写部３５で用紙Ｓ上に転写される。その後、トナー画像が形成された用紙Ｓは、定着部３６へ搬送されて、定着部３６で加熱・加圧処理することで用紙Ｓ上にフルカラーの画像を定着する。
【００３５】
給紙搬送部４０は、給紙トレイ４１、搬送路４２（４２ａ〜４２ｄ）、複数の搬送ローラー、これを駆動する駆動モーター（図示せず）、および給紙装置１０４を備える。
【００３６】
給紙搬送部４０は、駆動モーターの駆動によってそれぞれの搬送ローラーを所定のタイミングで回転させ、給紙トレイ４１または給紙装置１０４から供給される用紙Ｓを画像形成部３０へ搬送する。
【００３７】
給紙トレイ４１は、ここでは上トレイ４１ａと下トレイ４１ｂの２段の引き出し式トレイとなっていて、それぞれ個別に用紙を収納し、画像形成装置１０１へ用紙を供給する。
【００３８】
給紙装置１０４は、画像形成装置１０１内部の上トレイ４１ａおよび下トレイ４１ｂよりも多くの用紙を収納し、画像形成装置１０１へ用紙Ｓを供給する。
【００３９】
搬送路４２は、画像形成部３０内の搬送路４２ａ、４２ｄ、読取装置１０２内の搬送路４２ｂ、後処理部７０内の搬送路４２ｃから構成される。
【００４０】
給紙装置１０４または給紙トレイ４１から給紙された用紙Ｓは、搬送路４２ａを搬送さ
れる。搬送路４２ａには、クラッチにより回転、停止することで用紙の搬送タイミングを調整するレジストローラー４３１が配置されている。
【００４１】
搬送路４２ａを搬送され画像形成部３０により画像形成された用紙Ｓは、下流側の搬送路４２ｂ、４２ｃを経由して、印刷ジョブの印刷設定に応じた各処理を施されたのち機外に排出され排紙トレイ４４上に載置される。印刷設定には、例えば、Ｎｉｎ１（ページ割付）、印刷部数の設定、ステープル、パンチ、折り、ウォーターマーク、原稿の向き、用紙サイズ、およびグレースケール化の設定が含まれる。
【００４２】
印刷ジョブの印刷設定が、両面印刷の設定であれば、片面（第１面、通常は表面）に画像形成された用紙Ｓを画像形成部３０の下部にあるＡＤＵ搬送路４２ｄに搬送する。このＡＤＵ搬送路４２ｄに搬送された用紙Ｓは、スイッチバック経路で表裏を反転された後、搬送路４２ａに合流し、再び画像形成部３０で用紙Ｓのもう一方の面（第２面、通常は裏面）に画像形成される。
【００４３】
操作表示部５０はタッチパネル付きディスプレイ、テンキー、スタートボタン、ストップボタン等を備えており、各種指示を入力するための入力画面および装置の状態等を表示するとともに、印刷設定等の各種設定および各種指示の入力を受け付ける。操作表示部５０は受付部および表示部として機能する。
【００４４】
読取部６０は、搬送路４２ｂ上に、この搬送路４２ｂを通過する、画像形成された用紙Ｓの画像を読み取ることで、スキャン画像を生成する。スキャン画像は、例えば、ビットマップ形式のデータであり得る。読取部６０は、画像読取部として機能する。
【００４５】
読取部６０は、ラインイメージセンサー、レンズ光学系、ＬＥＤ（Ｌｉｇｈｔ  Ｅｍｉｔｔｉｎｇ  Ｄｉｏｄｅ）光源およびこれらを収納する筐体等を備え、搬送される用紙Ｓに形成された画像を読み取る。画像の読み取りは、ＬＥＤ光源からの光が、搬送路４２ｂ上の読取位置を通過する用紙Ｓの表面を照射し、読取位置の像がレンズ光学系により導かれ、ラインイメージセンサー上に結像することでなされる。
【００４６】
後処理部７０は、搬送路４２ｃに設けられている。後処理部７０では、たとえば綴じ処理を行い、用紙をスタックするスタック部とステープル部を有し、複数枚の用紙Ｓをこのスタック部で重ねた後、ステープル部でステープルを用いた平綴じ処理を行う。平綴じされた用紙Ｓの束は、排紙トレイ４４上に排出される。また平綴じしない用紙Ｓは、そのまま搬送路４２ｃを経由して排出される。
【００４７】
通信部８０には、ＳＡＴＡ、ＰＣＩ  Ｅｘｐｒｅｓ、ＵＳＢ、イーサネット（登録商標）、ＩＥＥＥ１３９４などの規格によるネットワークインターフェース、Ｂｌｕｅｔｏｏｔｈ（登録商標）、ＩＥＥＥ８０２．１１などの無線通信インターフェース、などの各種ローカル接続インターフェースが用いられる。通信部８０を通じてＰＣ等の外部の端末からの印刷データおよび印刷設定で構成される印刷ジョブが受信される。
【００４８】
制御部１０は、印刷ジョブに基づいて、画像形成部３０により用紙Ｓに画像形成し、画像形成された用紙Ｓを読取部６０により読み取ることでスキャン画像を生成する。制御部１０は、生成したスキャン画像と、当該印刷ジョブに関連付けられた（紐付けられた）基準画像（正解画像）とを比較することで、用紙Ｓに形成された画像を検査する。以下、用紙Ｓに形成された画像の検査を、単に「検査」と称する。基準画像は、正常な画像として、検査の基準となる画像である。これにより、自動検品機能が実行される。制御部１０は、検査の結果、用紙Ｓに形成された画像に異常があると判断した場合は、異常があると判断した画像が形成された用紙Ｓをヤレ紙と判定し、排紙トレイ４４とは別に設けられた、
ヤレ紙排出用のトレイ（図示せず）へ排出する。ヤレ紙として判定される、用紙Ｓ上の画像の異常には、汚れ、角折れ、しわ、傾き等が含まれる。以下、検査対象となる画像を用紙Ｓ上に形成するための印刷ジョブを検査ジョブと称する。また、検査対象となる画像を検査対象画像と称する。この検査ジョブが実行されることで、検査の結果良品とされた用紙Ｓが商品の印刷物として出力される。検査ジョブは第１印刷ジョブを構成する。
【００４９】
制御部１０は、基準画像を生成するための印刷ジョブに基づいて、画像形成部３０により用紙Ｓに画像形成し、画像形成された用紙Ｓを読取部６０により読み取ることで、基準画像として使用するスキャン画像を生成する。生成されたスキャン画像は、ユーザーによる目視検査等により正常と判断された後、基準画像として、当該基準画像を検査に使用する検査ジョブに関連付けられるとともに、記憶部２０に記憶される。以下、基準画像を生成するための印刷ジョブを基準画像生成ジョブと称する。基準画像生成ジョブは第２印刷ジョブを構成する。
【００５０】
基準画像生成ジョブは、検査ジョブの印刷部数を複数部から例えば１部に変更することで生成した印刷ジョブであり得る。また、基準画像生成ジョブは、必要に応じて、検査ジョブに対し印刷設定が変更され得る。基準画像生成ジョブを生成するときの出力モードとしては、例えば、サンプル出力モードおよびプルーフ出力モードがある。サンプル出力モードは、記憶されている検査ジョブのうちいずれかについて、印刷物を１部印刷するとともに、当該印刷物のスキャン画像を基準画像として前記検査ジョブに関連付けて検査ジョブとともに記憶するモードであり得る。プルーフ出力モードは、検査ジョブを実行する前に、印刷物を１部印刷し、目視検査で正常と判断された場合に、当該印刷物のスキャン画像を基準画像として記憶し、検査ジョブに対応付けて検査を行った後、検査ジョブを記憶部２０から削除する（または記憶部２０に記憶しない）モードであり得る。以下、説明を簡単にするために、特記しない限り、基準画像生成ジョブは、サンプル出力モードで実行されるものとして説明する。
【００５１】
制御部１０は、基準画像を生成する際、次の制御を行う。制御部１０は、基準画像生成ジョブを実行することで生成された基準画像と検査ジョブとを関連付けて記憶部２０に記憶する。基準画像は読取装置１０２の記憶部２１に記憶され、印刷ジョブは画像形成装置１０１の記憶部２２に記憶され得る。制御部１０は、記憶部２１に記憶された基準画像のデータ量が所定量以上になったときに、記憶された基準画像が所定の条件を満たすかどうか判断する。そして、所定の条件を満たすと判断した基準画像を記憶部２１から削除する。基準画像の削除の判断の基準となるデータ量は、例えば、記憶部２１の記憶容量の９０％〜１００％に設定し得る。所定の条件には、例えば、次の条件が含まれる。
【００５２】
（１）検査への使用頻度が所定の頻度以下の基準画像であること（第１条件）。所定の頻度は、実験等により適当な値に設定され得る。所定の頻度は、例えば、３回〜５回／月に設定され得る。
【００５３】
（２）記憶部２１に記憶された日時、最後に編集された日時、および検査に最後に使用された日時の少なくともいずれかが所定の日時以前である基準画像であること（第２条件）。基準画像が、記憶部２１に記憶された日時、最後に編集された日時、および検査に最後に使用された日時は、タイムスタンプとして、基準画像のファイルのヘッダーにおいて記憶され得る。所定の日時は、実験等により適当な値に設定され得る。所定の日時は、例えば、１月〜１年以上前の日時に設定され得る。
【００５４】
（３）サンプル出力モードにより１つの検査ジョブの検査に使用される基準画像が複数、記憶部２１に記憶されていて、当該複数の基準画像のうち、当該検査ジョブに関連付けられていない基準画像であること（第３条件）。
【００５５】
（４）所定のレベル以上の機密性レベルに設定された検査ジョブが実行されることで形成された検査対象画像の検査に用いるための基準画像であること（第４条件）。所定のレベルは、組織毎のセキュリティポリシー等の観点から適当に設定され得る。基準画像を検査に使用する検査ジョブのジョブＩＤは、基準画像のファイルのヘッダーにおいて記憶され得る。
【００５６】
（５）検査ジョブの実行後に検査に使用した基準画像を削除する設定がされていて、実行された検査ジョブに使用された基準画像であること（第５条件）。当該設定は、操作表示部５０から入力されるユーザーの指示に基づいて設定され得る。
【００５７】
（６）設定された、基準画像の有効期限、基準画像を使用して検査対象画像を検査した検査ジョブのジョブ数、および基準画像を使用して検査対象画像を検査した用紙の枚数の少なくともいずれかに達した基準画像であること（第６条件）。基準画像の有効期限、基準画像を使用して検査対象画像を検査した検査ジョブのジョブ数、および基準画像を使用して検査対象画像を検査した用紙の枚数は、操作表示部５０から入力されるユーザーの指示に基づいて設定され得る。
【００５８】
（７）基準画像が記憶される際に、基準画像と同一のファイル名の他の基準画像が記憶部２１にすでに記憶されている場合は上書きして記憶する設定がされていて、当該他の基準画像に該当すること（第７条件）。当該設定は、操作表示部５０から入力されるユーザーの指示に基づいて設定され得る。
【００５９】
（８）操作表示部５０に表示された基準画像のうち、削除の選択が受け付けられた基準画像であること（第８条件）。当該削除の選択は、例えば、操作表示部５０にサムネイル表示等により基準画像を選択可能に表示することにより受け付けられ得る。
【００６０】
（９）印刷設定が異なる複数の基準画像生成ジョブを実行することにより、検査ジョブを実行することで形成される検査対象画像の検査に用いる基準画像を複数生成して記憶した場合に、基準画像が、検査ジョブの印刷設定と異なる印刷設定の基準画像生成ジョブの実行により生成された基準画像であること（第９条件）。
【００６１】
（１０）基準画像が、記憶部２１または記憶部２２に記憶された検査ジョブの印刷設定が変更される更新がされた場合の、当該検査ジョブに対応付けされた基準画像であること（第１０条件）。印刷設定の変更には、ページ順の入れ替えや、画像の位置または範囲の変更等も含まれる。
【００６２】
所定の条件は、上記第１条件〜第１０条件からユーザーにより選択された、いずれか１つの条件、または複数の条件のＡＮＤ条件またＯＲ条件であってもよい。
【００６３】
図３は、検査ジョブ実行後に基準画像を保存するかどうかを設定するための自動検品設定画面を示す模式図である。
【００６４】
自動検品設定画面５０３は、ジョブチケット編集画面５００において、「出力設定」５０１の項目内の「自動検品」５０２を選択することにより表示される。「出力設定」５０１の項目内の「自動検品」５０２以外の項目については、従来の自動検品機能を備えた画像形成システムと同様であるので詳細な説明を省略する。
【００６５】
自動検品設定画面５０３は、自動検品機能のオン／オフを設定する「検品設定」５０４と、基準画像を新規作成するか、または登録画像から選択するかを選択する「基準画像設
定」５０５と、検品レベルを設定する「検品レベル設定」５０６を有する。図３に示す例では、「検品設定」５０４はＯＮ（オン）が選択されている。「基準画像設定」５０５は、「新規作成」が選択され、「終了時削除」が選択されている。「検品レベル設定」５０６はきびしいが選択されている。検品レベルについては、従来の自動検品機能を備えた画像形成システムと同様であるので説明を省略する。
【００６６】
上記選択をして、「ＯＫ」ボタンを選択すると、「新規作成」が選択されたことで、自動検品機能による検査に使用するための基準画像を新規に作成することが設定される。また、「終了時削除」が選択されたことで、作成した基準画像を検査ジョブの実行後に記憶部２１から削除することの設定がなされる。この場合、所定の条件として、上述した第５条件が設定されたことになる。
【００６７】
画像形成システムの動作について説明する。
【００６８】
図４は、基準画像を削除するための所定の条件として第１条件および第２条件が設定された場合の画像形成システムの動作を示すフローチャートである。本フローチャートは、読取装置１０２が備える制御部１１により、記憶部２１に記憶されたプログラムに従って実行され得る。なお、本フローチャートの一部は、制御部１１および制御部１２が協働することで実行されてもよい。以下説明する、図５〜図７に示すフローチャートも同様に、制御部１１により（または、一部は制御部１２と協働することにより）プログラムに従って実行され得る。
【００６９】
制御部１１は、記憶部２１の使用率が所定値以上となったかどうか判断する（Ｓ１０１）。当該所定値は、例えば、１００％であり得る。記憶部２１の使用率は、記憶部２１に記憶された基準画像のデータ量に対応し、互いに換算可能である。制御部１１は、記憶部２１の使用率が所定値を超えていないと判断した場合は（Ｓ１０１：ＮＯ）、処理を終了する。
【００７０】
制御部１１は、記憶部２１の使用率が所定値を超えたと判断した場合は（Ｓ１０１：ＹＥＳ）、基準画像を使用頻度が低い順に削除するという設定がされているかどうか判断する（Ｓ１０２）。基準画像を使用頻度が低い順に削除するという設定は、所定値（例えば、３回／月）以下の使用頻度の基準画像を削除するという設定であり得る。制御部１１は、基準画像を使用頻度が低い順に削除するという設定がされていると判断した場合は（Ｓ１０２：ＹＥＳ）、基準画像を更新日時が古い順に削除する設定がされているかどうか判断する（Ｓ１０３）。更新日時が古い順に削除する設定は、最後に編集された日時が所定の日時（例えば、１月以上前の日時）の基準画像を削除するという設定であり得る。制御部１１は、基準画像を、更新日時が古い順に削除する設定がされていると判断した場合は（Ｓ１０３：ＹＥＳ）、使用頻度が所定値以下の基準画像を削除し、さらに更新日時が所定の日時以前の基準画像を削除する（Ｓ１０４）。
【００７１】
制御部１１は、基準画像を、更新日時が古い順に削除する設定がされていないと判断した場合は（Ｓ１０３：ＮＯ）、使用頻度が所定値以下の基準画像を削除する（Ｓ１０５）。
【００７２】
ステップＳ１０２において、基準画像を使用頻度が低い順に削除するという設定がされていないと判断した場合は（Ｓ１０２：ＮＯ）、制御部１１は、基準画像を更新日時が古い順に削除する設定がされているかどうか判断する（Ｓ１０６）。制御部１１は、基準画像を更新日時が古い順に削除する設定がされていないと判断した場合は（Ｓ１０６：ＮＯ）、処理を終了する。
【００７３】
制御部１１は、基準画像を更新日時が古い順に削除する設定がされていると判断した場合は（Ｓ１０６：ＹＥＳ）、更新日時が所定の日時以前の基準画像を削除する（Ｓ１０７）。
【００７４】
図５は、基準画像を削除するための所定の条件として第３条件が設定された場合の画像形成システムの動作を示すフローチャートである。
【００７５】
制御部１１は、基準画像生成ジョブをサンプル出力モードで実行したかどうか判断する（Ｓ２０１）。制御部１１は、基準画像生成ジョブをサンプル出力モードで実行していないと判断した場合は（Ｓ２０１：ＮＯ）、処理を終了する。
【００７６】
制御部１１は、基準画像生成ジョブをサンプル出力モードで実行したと判断した場合は（Ｓ２０１：ＹＥＳ）、生成された基準画像を記憶部２１に記憶させ（Ｓ２０２）、基準画像生成ジョブをサンプル出力モードで再度実行したかどうか判断する（Ｓ２０３）。制御部１１は、基準画像生成ジョブをサンプル出力モードで再度実行したと判断した場合は（Ｓ２０３：ＹＥＳ）、生成された基準画像を記憶部２１に記憶させ（Ｓ２０２）、基準画像生成ジョブをサンプル出力モードで再度実行したかどうかの判断（Ｓ２０３）を繰り返す。
【００７７】
制御部１１は、基準画像生成ジョブをサンプル出力モードで再度実行したと判断しない場合は（Ｓ２０３：ＮＯ）、検査ジョブによる検査に使用する基準画像を選択し（Ｓ２０４）、検査ジョブを実行する（Ｓ２０５）。
【００７８】
制御部１１は、検査ジョブによる検査に使用しなかった基準画像が記憶部２１に記憶されているかどうか判断する（Ｓ２０６）。すなわち、制御部１１は、サンプル出力モードで、検査ジョブに使用するための基準画像を複数生成した場合に、実行した検査ジョブに関連付けられていない基準画像が記憶部２１に記憶されているかどうか判断する。制御部１１は、検査ジョブによる検査に使用しなかった基準画像が記憶部２１に記憶されていないと判断した場合は（Ｓ２０６：ＮＯ）、処理を終了する。
【００７９】
制御部１１は、検査ジョブによる検査に使用しなかった基準画像が記憶部２１に記憶されていると判断した場合は（Ｓ２０６：ＹＥＳ）、使用しなかった基準画像を記憶部２１から削除する（Ｓ２０７）。
【００８０】
図６は、基準画像を削除するための所定の条件として第４条件および第５条件が設定された場合の画像形成システムの動作を示すフローチャートである。
【００８１】
制御部１１は、検査ジョブを出力が完了するまで実行する（Ｓ３０１、Ｓ３０２）。
【００８２】
制御部１１は、検査ジョブの出力が完了したと判断した場合は（Ｓ３０２：ＹＥＳ）、検査ジョブの終了時に検査画像を削除するという設定がされているかどうか判断する（Ｓ３０３）。制御部１１は、検査ジョブの終了時に検査画像を削除するという設定がされていると判断した場合は（Ｓ３０３：ＹＥＳ）、検査ジョブによる検査に使用された基準画像を記憶部２１から削除する（Ｓ３０４）。
【００８３】
制御部１１は、検査ジョブの終了時に検査画像を削除するという設定がされていないと判断した場合は（Ｓ３０３：ＮＯ）、実行した検査ジョブが機密ジョブかどうか判断する（Ｓ３０５）。すなわち、制御部１１は、検査ジョブの機密性レベルが所定のレベル以上に設定されているかどうか判断する。制御部１１は、実行した検査ジョブが機密ジョブではないと判断した場合は（Ｓ３０５：ＮＯ）、処理を終了する。
【００８４】
制御部１１は、実行した検査ジョブが機密ジョブであると判断した場合は（Ｓ３０５：ＹＥＳ）、検査ジョブによる検査に使用された基準画像を記憶部２１から削除する（Ｓ３０４）。
【００８５】
図７は、基準画像を削除するための所定の条件として第７条件が設定された場合の画像形成システムの動作を示すフローチャートである。
【００８６】
制御部１１は、基準画像の記憶部２１への記憶（保存）を開始し（Ｓ４０１）、記憶しようとする基準画像のファイル名と同一のファイル名の基準画像が記憶部２１に記憶されているかどうか判断する（Ｓ４０２）。制御部１１は、記憶しようとする基準画像のファイル名と同一のファイル名の基準画像が記憶部２１に記憶されていないと判断した場合は（Ｓ４０２：ＮＯ）、基準画像を記憶部２１に記憶させる（Ｓ４０５）。
【００８７】
制御部１１は、記憶しようとする基準画像のファイル名と同一のファイル名の基準画像が記憶部２１に記憶されていると判断した場合は（Ｓ４０２：ＹＥＳ）、上書きして記憶するという設定がされているかどうか判断する（Ｓ４０３）。上書きして記憶するという設定がされていると判断した場合は（Ｓ４０３：ＹＥＳ）、記憶部２１は、すでに記憶部２１に記憶されている同一ファイル名の基準画像を削除して（Ｓ４０４）、基準画像を記憶させる（Ｓ４０５）。
【００８８】
上書きして記憶するという設定がされていないと判断した場合は（Ｓ４０３：ＮＯ）、制御部１１は、基準画像を、ファイル名を変更して（Ｓ４０６）、記憶部２１に記憶させる。
【００８９】
本実施形態は以下の効果を奏する。
【００９０】
自動検品機能を実行する際に生成され記憶された基準画像のデータ量が所定量以上となったときに、所定の条件を満たす基準画像を削除する。これにより、自動検品機能を実行する際に生成され記憶される基準画像による記憶部の容量圧迫を回避するために不要な基準画像を手動で削除するという手間をユーザーに強いることなく、生産性の低下を防止できる。
【００９１】
さらに、記憶部に記憶された複数の基準画像の中から、検査対象画像の検査に用いる基準画像の選択をユーザーから受付け、選択を受け付けた基準画像を使用して、検査対象画像を検査する。これにより、適切な基準画像を使用して検査できるため、ヤレ紙の検出精度を向上できる。
【００９２】
さらに、基準画像ごとの使用頻度を記憶し、基準画像を削除するための所定の条件を、記憶部に記憶された基準画像の使用頻度が所定の頻度以下であるという第１条件とする。これにより、必要性に乏しい基準画像を適切に削除できる。
【００９３】
さらに、基準画像ごとの、保存日時、最後に編集された日時、および検査に最後に使用された日時の少なくともいずれかを記憶し、基準画像を削除するための所定の条件を、基準画像が、保存日時、最後に編集された日時、および最後に使用された日時の少なくともいずれかが所定の日時以前であるという第２条件とする。これにより、必要性に乏しい基準画像を適切に削除できる。
【００９４】
さらに、サンプル出力モードにより、検査ジョブの検査に使用する基準画像を複数生成して記憶部に記憶させた場合に、生成された複数の基準画像のうちのいずれか一つを第１
印刷ジョブに関連付けし、基準画像を削除するための所定の条件を、基準画像が、検査対象ジョブに関連付けられていないという第３条件とする。これにより、適切な基準画像を使用して検査できるため、ヤレ紙の検出精度を向上できる。
【００９５】
さらに、検査ジョブの機密性レベルの設定指示を受け付け、基準画像を削除するための所定の条件を、基準画像が、所定のレベル以上の機密レベルに設定された検査ジョブが実行されることで形成された検査対象画像の検査に用いるための基準画像であるという第４条件とする。これにより、個人情報等の機密情報として扱うべき情報を含む基準画像を削除することで機密性レベルの高い機密情報の漏洩を防止できる。
【００９６】
さらに、検査ジョブを実行した後に、検査ジョブに基づいて形成された検査対象画像の検査に用いた基準画像を削除する指示をユーザーから受け付け、基準画像を削除するための所定の条件を、実行された検査ジョブの検査に使用された基準画像であるという第５条件とする。これにより、リプリントをしない検査ジョブにおける検査に使用される不要な基準画像を適切に削除できる。
【００９７】
さらに、基準画像の有効期限、基準画像を使用して検査対象画像を検査した検査ジョブのジョブ数、および基準画像を使用して検査対象画像を検査した用紙の枚数の少なくともいずれかの設定の指示をユーザーから受け付けて設定し、基準画像を削除するための所定の条件を、基準画像が、設定された、基準画像の有効期限、検査ジョブのジョブ数、および当該用紙の枚数の少なくともいずれかに達したという第６条件とする。これにより、必要性に乏しい基準画像を適切に削除できる。
【００９８】
さらに、基準画像が記憶部に記憶される際に、基準画像と同一のファイル名の他の基準画像が記憶部にすでに記憶されている場合に、上書きして記憶する指示をユーザーから受け付けて設定し、基準画像を削除するための所定の条件を、基準画像が、基準画像が記憶部に記憶される際に、基準画像と同一のファイル名の基準画像がすでに記憶されている場合に、上書きして記憶する設定がされていて、当該他の基準画像に該当するという第７条件とする。これに、ユーザーの意図に対応して、必要な基準画像を残すことができるとともに、不要な基準画像を削除できる。
【００９９】
さらに、記憶部に記憶された基準画像を表示し、表示された基準画像のうち削除する基準画像の選択をユーザーから受け付け、基準画像を削除するための所定の条件を、基準画像が、選択が受け付けられた基準画像であるという第８条件とする。これにより、適当なタイミングで必要性に乏しい基準画像を削除できる。
【０１００】
さらに、基準画像を削除するための所定の条件を、印刷設定が異なる複数の基準画像生成ジョブを実行することにより、検査ジョブを実行することで形成される検査対象画像の検査に用いる基準画像を複数生成して記憶部に記憶した場合に、基準画像が、検査ジョブの印刷設定と異なる印刷設定の基準画像生成ジョブの実行により生成された基準画像であるという第９条件とする。これにより、印刷設定ミス等により不要となった基準画像を適切に削除できる。
【０１０１】
さらに、検査ジョブを記憶部または記憶部以外の記憶装置に基準画像と対応付けて記憶させ、基準画像を削除するための所定の条件を、基準画像が、記憶された検査ジョブの印刷設定が変更される更新がされた場合の、当該検査ジョブに対応付けされた基準画像であるという第１０条件とする。これにより、印刷設定ミス等により不要となった基準画像を適切に削除できる。
【０１０２】
以上に説明した画像形成システム、画像形成装置、およびプログラムの構成は、上述の
実施形態の特徴を説明するにあたって主要構成を説明したのであって、上述の構成に限られず、特許請求の範囲内において、種々改変することができる。また、一般的な画像形成システム等が備える構成を排除するものではない。
【０１０３】
また、上述した実施形態に係る画像形成システムにおける各種処理を行う手段および方法は、専用のハードウエア回路、またはプログラムされたコンピューターのいずれによっても実現することが可能である。上記プログラムは、例えば、ＵＳＢメモリやＤＶＤ（Ｄｉｇｉｔａｌ  Ｖｅｒｓａｔｉｌｅ  Ｄｉｓｃ）−ＲＯＭ等のコンピューター読み取り可能な記録媒体によって提供されてもよいし、インターネット等のネットワークを介してオンラインで提供されてもよい。この場合、コンピューター読み取り可能な記録媒体に記録されたプログラムは、通常、ハードディスク等の記憶部に転送され記憶される。また、上記プログラムは、単独のアプリケーションソフトとして提供されてもよいし、一機能としてその検出部等の装置のソフトウエアに組み込まれてもよい。
【符号の説明】
【０１０４】
１０、１１、１２  制御部、
２０、２１、２２  記憶部、
３０  画像形成部、
４０  給紙搬送部、
５０  操作表示部、
６０  読取部、
７０  後処理部、
８０  通信部、
１００  画像形成システム、
１０１  画像形成装置、
１０２  読取装置、
１０３  後処理装置、
１０４  給紙装置。
【図１】
2022001442.tif 000003
【図２】
2022001442.tif 000004
【図３】
2022001442.tif 000005
【図４】
2022001442.tif 000006
【図５】
2022001442.tif 000007
【図６】
2022001442.tif 000008
【図７】
2022001442.tif 000009
【手続補正書】
【提出日】令和3年11月10日(2021.11.10)
【手続補正１】
【補正対象書類名】特許請求の範囲
【補正対象項目名】全文
【補正方法】変更
【補正の内容】
【特許請求の範囲】
【請求項１】
記録媒体上に形成された画像の検査に用いる基準画像を生成し、前記検査を実行する検査装置であって、
前記基準画像を新規に生成する場合、検査対象の検査ジョブにおける一の画像がそれぞれ形成された複数の第１の記録媒体をそれぞれ読み取って生成された複数の第１の読取画像を取得し、取得した複数の第１の読取画像のうち前記検査に用いる読取画像を前記基準画像として前記一の画像が形成された第２の記録媒体を読み取って生成された第２の読取画像に対する検査を実行する制御部を備え、
前記制御部は、前記基準画像を記憶部に記憶し、
前記基準画像を新規に生成しない場合、前記記憶部に記憶されている前記基準画像を検査に用いる、検査装置。
【請求項２】
前記制御部は、さらに、前記第２の読取画像の検査における検査レベルを設定する、請求項１に記載の検査装置。
【請求項３】
記録媒体上に形成された画像の検査に用いる基準画像を生成し、前記検査を実行する検査装置における検査方法であって、
前記基準画像を新規に生成する場合、
検査対象の検査ジョブにおける一の画像がそれぞれ形成された複数の第１の記録媒体をそれぞれ読み取って生成された複数の第１の読取画像を取得するステップと、
取得した複数の第１の読取画像のうち前記検査に用いる読取画像を前記基準画像として前記一の画像が形成された第２の記録媒体を読み取って生成された第２の読取画像に対する検査を実行するステップと、
前記基準画像を記憶部に記憶するステップと、を有し、
前記基準画像を新規に生成しない場合、前記記憶部に記憶されている前記基準画像を検査に用いる、検査方法。
【請求項４】
前記第２の読取画像の検査における検査レベルを設定するステップをさらに有する、請求項３に記載の検査方法。
【請求項５】
記録媒体上に形成された画像の検査に用いる基準画像を生成し、前記検査を実行する検査装置のコンピューターに実行させるためのプログラムであって、
前記基準画像を新規に生成する場合、
検査対象の検査ジョブにおける一の画像がそれぞれ形成された複数の第１の記録媒体をそれぞれ読み取って生成された複数の第１の読取画像を取得するステップと、
取得した複数の第１の読取画像のうち前記検査に用いる読取画像を前記基準画像として前記一の画像が形成された第２の記録媒体を読み取って生成された第２の読取画像に対する検査を実行するステップと、
前記基準画像を記憶部に記憶するステップと、を前記コンピューターに実行させ、
前記基準画像を新規に生成しない場合、前記記憶部に記憶されている前記基準画像を検査に用いる、プログラム。
【請求項６】
前記コンピューターに、
前記第２の読取画像の検査における検査レベルを設定するステップをさらに実行させる、請求項５に記載のプログラム。
【請求項７】
記録媒体上に形成された画像の検査に用いる基準画像を生成し、前記検査を実行する検査システムであって、
前記記録媒体上に画像を形成する画像形成部と、
前記画像形成部により検査対象の検査ジョブにおける一の画像が形成された記録媒体を読み取って読取画像を生成する画像読取部と、
前記基準画像を新規に生成する場合、前記一の画像がそれぞれ形成された複数の第１の記録媒体を前記画像読取部によりそれぞれ読み取って生成された複数の第１の読取画像を取得し、取得した複数の第１の読取画像のうち前記検査に用いる読取画像を前記基準画像として前記一の画像が形成された第２の記録媒体を前記画像読取部により読み取って生成された第２の読取画像に対する検査を実行する制御部と、を備え、
前記制御部は、前記基準画像を記憶部に記憶し、
前記基準画像を新規に生成しない場合、前記記憶部に記憶されている前記基準画像を検査に用いる、検査システム。
【請求項８】
前記複数の第１の読取画像は、前記画像形成部による前記複数の第１の記録媒体それぞれに対する前記一の画像の形成および当該一の画像が形成された複数の第１の記録媒体それぞれの前記画像読取部による読み取りが行われることにより生成される、請求項７に記載の検査システム。
【請求項９】
前記制御部は、さらに、前記第２の読取画像の検査における検査レベルを設定する、請求項７または８に記載の検査システム。
【請求項１０】
記録媒体上に形成された画像の検査に用いる基準画像を生成し、前記検査を実行する検査システムにおける検査方法であって、
記録媒体上に画像を形成するステップと、
前記画像を形成するステップにおいて検査対象の検査ジョブにおける一の画像が形成された記録媒体を読み取って読取画像を生成するステップと、
前記基準画像を新規に生成する場合、前記一の画像がそれぞれ形成された複数の第１の記録媒体をそれぞれ読み取って生成された複数の第１の読取画像を取得し、取得した複数の第１の読取画像のうち前記検査に用いる読取画像を前記基準画像として前記一の画像が形成された第２の記録媒体を読み取って生成された第２の読取画像に対する検査を実行するステップと、
前記基準画像を記憶部に記憶するステップと、を有し、
前記基準画像を新規に生成しない場合、前記記憶部に記憶されている前記基準画像を検査に用いる、検査方法。
【請求項１１】
前記複数の第１の読取画像は、前記複数の第１の記録媒体それぞれに対する前記一の画像の形成および当該一の画像が形成された複数の第１の記録媒体それぞれの読み取りが行われることにより生成される、請求項１０に記載の検査方法。
【請求項１２】
前記第２の読取画像の検査における検査レベルを設定するステップをさらに有する、請求項１０または１１に記載の検査方法。
【手続補正２】
【補正対象書類名】明細書
【補正対象項目名】０００７
【補正方法】変更
【補正の内容】
【０００７】
本発明の上記課題は、以下の手段によって解決される。
（１）記録媒体上に形成された画像の検査に用いる基準画像を生成し、前記検査を実行する検査装置であって、前記基準画像を新規に生成する場合、検査対象の検査ジョブにおける一の画像がそれぞれ形成された複数の第１の記録媒体をそれぞれ読み取って生成された複数の第１の読取画像を取得し、取得した複数の第１の読取画像のうち前記検査に用いる読取画像を前記基準画像として前記一の画像が形成された第２の記録媒体を読み取って生成された第２の読取画像に対する検査を実行する制御部を備え、前記制御部は、前記基準画像を記憶部に記憶し、前記基準画像を新規に生成しない場合、前記記憶部に記憶されている前記基準画像を検査に用いる、検査装置。
【手続補正３】
【補正対象書類名】明細書
【補正対象項目名】０００８
【補正方法】削除
【補正の内容】
【手続補正４】
【補正対象書類名】明細書
【補正対象項目名】０００９
【補正方法】変更
【補正の内容】
【０００９】
（２）前記制御部は、さらに、前記第２の読取画像の検査における検査レベルを設定する、上記（１）に記載の検査装置。
【手続補正５】
【補正対象書類名】明細書
【補正対象項目名】００１０
【補正方法】変更
【補正の内容】
【００１０】
（３）記録媒体上に形成された画像の検査に用いる基準画像を生成し、前記検査を実行する検査装置における検査方法であって、前記基準画像を新規に生成する場合、検査対象の検査ジョブにおける一の画像がそれぞれ形成された複数の第１の記録媒体をそれぞれ読み取って生成された複数の第１の読取画像を取得するステップと、取得した複数の第１の読取画像のうち前記検査に用いる読取画像を前記基準画像として前記一の画像が形成された第２の記録媒体を読み取って生成された第２の読取画像に対する検査を実行するステップと、前記基準画像を記憶部に記憶するステップと、を有し、前記基準画像を新規に生成しない場合、前記記憶部に記憶されている前記基準画像を検査に用いる、検査方法。
【手続補正６】
【補正対象書類名】明細書
【補正対象項目名】００１１
【補正方法】削除
【補正の内容】
【手続補正７】
【補正対象書類名】明細書
【補正対象項目名】００１２
【補正方法】変更
【補正の内容】
【００１２】
（４）前記第２の読取画像の検査における検査レベルを設定するステップをさらに有する、上記（３）に記載の検査方法。
【手続補正８】
【補正対象書類名】明細書
【補正対象項目名】００１３
【補正方法】変更
【補正の内容】
【００１３】
（５）記録媒体上に形成された画像の検査に用いる基準画像を生成し、前記検査を実行する検査装置のコンピューターに実行させるためのプログラムであって、前記基準画像を新規に生成する場合、検査対象の検査ジョブにおける一の画像がそれぞれ形成された複数の第１の記録媒体をそれぞれ読み取って生成された複数の第１の読取画像を取得するステップと、取得した複数の第１の読取画像のうち前記検査に用いる読取画像を前記基準画像として前記一の画像が形成された第２の記録媒体を読み取って生成された第２の読取画像に対する検査を実行するステップと、前記基準画像を記憶部に記憶するステップと、を前記コンピューターに実行させ、前記基準画像を新規に生成しない場合、前記記憶部に記憶されている前記基準画像を検査に用いる、プログラム。
【手続補正９】
【補正対象書類名】明細書
【補正対象項目名】００１４
【補正方法】削除
【補正の内容】
【手続補正１０】
【補正対象書類名】明細書
【補正対象項目名】００１５
【補正方法】変更
【補正の内容】
【００１５】
（６）前記コンピューターに、前記第２の読取画像の検査における検査レベルを設定するステップをさらに実行させる、上記（５）に記載のプログラム。
【手続補正１１】
【補正対象書類名】明細書
【補正対象項目名】００１６
【補正方法】変更
【補正の内容】
【００１６】
（７）記録媒体上に形成された画像の検査に用いる基準画像を生成し、前記検査を実行する検査システムであって、前記記録媒体上に画像を形成する画像形成部と、前記画像形成部により検査対象の検査ジョブにおける一の画像が形成された記録媒体を読み取って読取画像を生成する画像読取部と、前記基準画像を新規に生成する場合、前記一の画像がそれぞれ形成された複数の第１の記録媒体を前記画像読取部によりそれぞれ読み取って生成された複数の第１の読取画像を取得し、取得した複数の第１の読取画像のうち前記検査に用いる読取画像を前記基準画像として前記一の画像が形成された第２の記録媒体を前記画像読取部により読み取って生成された第２の読取画像に対する検査を実行する制御部と、を備え、前記制御部は、前記基準画像を記憶部に記憶し、前記基準画像を新規に生成しない場合、前記記憶部に記憶されている前記基準画像を検査に用いる、検査システム。
【手続補正１２】
【補正対象書類名】明細書
【補正対象項目名】００１７
【補正方法】変更
【補正の内容】
【００１７】
（８）前記複数の第１の読取画像は、前記画像形成部による前記複数の第１の記録媒体それぞれに対する前記一の画像の形成および当該一の画像が形成された複数の第１の記録媒体それぞれの前記画像読取部による読み取りが行われることにより生成される、上記（７）に記載の検査システム。
【手続補正１３】
【補正対象書類名】明細書
【補正対象項目名】００１８
【補正方法】削除
【補正の内容】
【手続補正１４】
【補正対象書類名】明細書
【補正対象項目名】００１９
【補正方法】変更
【補正の内容】
【００１９】
（９）前記制御部は、さらに、前記第２の読取画像の検査における検査レベルを設定する、上記（７）または（８）に記載の検査システム。
【手続補正１５】
【補正対象書類名】明細書
【補正対象項目名】００２０
【補正方法】変更
【補正の内容】
【００２０】
（１０）記録媒体上に形成された画像の検査に用いる基準画像を生成し、前記検査を実行する検査システムにおける検査方法であって、記録媒体上に画像を形成するステップと、前記画像を形成するステップにおいて検査対象の検査ジョブにおける一の画像が形成された記録媒体を読み取って読取画像を生成するステップと、前記基準画像を新規に生成する場合、前記一の画像がそれぞれ形成された複数の第１の記録媒体をそれぞれ読み取って生成された複数の第１の読取画像を取得し、取得した複数の第１の読取画像のうち前記検査に用いる読取画像を前記基準画像として前記一の画像が形成された第２の記録媒体を読み取って生成された第２の読取画像に対する検査を実行するステップと、前記基準画像を記憶部に記憶するステップと、を有し、前記基準画像を新規に生成しない場合、前記記憶部に記憶されている前記基準画像を検査に用いる、検査方法。
【手続補正１６】
【補正対象書類名】明細書
【補正対象項目名】００２１
【補正方法】変更
【補正の内容】
【００２１】
（１１）前記複数の第１の読取画像は、前記複数の第１の記録媒体それぞれに対する前記一の画像の形成および当該一の画像が形成された複数の第１の記録媒体それぞれの読み取りが行われることにより生成される、上記（１０）に記載の検査方法。
【手続補正１７】
【補正対象書類名】明細書
【補正対象項目名】００２２
【補正方法】削除
【補正の内容】
【手続補正１８】
【補正対象書類名】明細書
【補正対象項目名】００２３
【補正方法】変更
【補正の内容】
【００２３】
（１２）前記第２の読取画像の検査における検査レベルを設定するステップをさらに有する、上記（１０）または（１１）に記載の検査方法。